(57)【特許請求の範囲】
【請求項１】
ベースと、照明と、照明カバーと、照明カバー用台座と、インターホンと、インターホンカバーと、インターホン用台座と、化粧材とを備え、ベースが、押出形材からなるものであって、矩形平板形状の背面部と、背面部の両長辺に沿って設けた被係合部を有しており、照明が、ベースの背面部に取り付けてあり、照明カバー用台座が、基板と、基板の一端と他端に設けた係合部と、基板に設けた切欠部とを有し、係合部を被係合部に係合させ、切欠部に照明を通してベースの正面側に取り付けてあり、照明カバーが、照明カバー用台座に取り付けてあって、照明を覆うものであり、インターホン用台座が、基板と、基板の一端と他端に設けた係合部を有し、係合部を被係合部に係合させてベースの正面側に取り付けてあり、インターホンが、インターホン用台座に取り付けてあり、インターホンカバーが、インターホン用台座に取り付けてあって、インターホンの端部を覆うものであり、化粧材が、一端と他端に設けた係合部を有し、係合部を被係合部に係合させてベースの正面側に取り付けてあることを特徴とする照明具。
【請求項２】
化粧材に表札を取り付けてあることを特徴とする請求項１記載の照明具。
【請求項３】
照明カバー用台座及びインターホン用台座が、それぞれの基板の一端と他端に、照明及びインターホンよりも正面側に突出した突出片を有し、照明カバー及びインターホンカバーが、一端を一方の突出片に係合させ、他端を他方の突出片にネジ止めして固定してあることを特徴とする請求項１又は２記載の照明具。
【発明の詳細な説明】
【技術分野】
【０００１】
本発明は、門周りのアイテムを一体化した照明具に関する。
【背景技術】
【０００２】
玄関周りの壁面や門柱などには、図６に示すように、インターホン１０５や表札１０９及びそれらを照らす照明１０２が取り付けられている。これらは、それぞれ様々な意匠のものが存在しており、建物の外観に合わせて選択されている。
【発明の概要】
【発明が解決しようとする課題】
【０００３】
しかしながら、従来、インターホン、表札や照明は、それぞれ個々にデザインされるものであった。よって、それぞれの意匠が優れたものであっても、それらを壁面などの一箇所に並べて取り付けると、意匠の統一感がなく、まとまりのない印象を与えるものとなっていた。
【０００４】
本発明は、上記事情を鑑みたものであり、インターホンなどの門周りのアイテムを一体化してまとまりのある意匠とした照明具を提供することを目的とする。
【課題を解決するための手段】
【０００５】
本発明のうち請求項１の発明は、ベースと、照明と、照明カバーと、照明カバー用台座と、インターホンと、インターホンカバーと、インターホン用台座と、化粧材とを備え、ベースが、押出形材からなるものであって、矩形平板形状の背面部と、背面部の両長辺に沿って設けた被係合部を有しており、照明が、ベースの背面部に取り付けてあり、照明カバー用台座が、基板と、基板の一端と他端に設けた係合部と、基板に設けた切欠部とを有し、係合部を被係合部に係合させ、切欠部に照明を通してベースの正面側に取り付けてあり、照明カバーが、照明カバー用台座に取り付けてあって、照明を覆うものであり、インターホン用台座が、基板と、基板の一端と他端に設けた係合部を有し、係合部を被係合部に係合させてベースの正面側に取り付けてあり、インターホンが、インターホン用台座に取り付けてあり、インターホンカバーが、インターホン用台座に取り付けてあって、インターホンの端部を覆うものであり、化粧材が、一端と他端に設けた係合部を有し、係合部を被係合部に係合させてベースの正面側に取り付けてあることを特徴とする。
【０００６】
本発明のうち請求項２の発明は、化粧材に表札を取り付けてあることを特徴とする。
【０００７】
本発明のうち請求項３の発明は、照明カバー用台座及びインターホン用台座が、それぞれの基板の一端と他端に、照明及びインターホンよりも正面側に突出した突出片を有し、照明カバー及びインターホンカバーが、一端を一方の突出片に係合させ、他端を他方の突出片にネジ止めして固定してあることを特徴とする。
【発明の効果】
【０００８】
本発明のうち請求項１の発明によれば、照明やインターホンを一つのユニットにまとめ、まとまりのある意匠とすることができる。照明とインターホンはそれぞれ機能上の制約があるので意匠を揃えることは難しいが、それらをカバーで覆うことによって統一感を持たせており、照明カバーと、インターホンカバーと、化粧材の意匠を揃えれば、さらに統一感を高めることができる。また、ベースの被係合部に各部材の係合部を係合させて取り付けるので、ネジなどを用いる箇所が少なく、施工が容易である。さらに、ベースが押し出しにより一体に成形された形材からなるものであるから、安価に製造可能であり、また設置面への取り付けも容易である。なお、インターホンカバーは、インターホンの端部のみを覆うので、インターホンの機能を妨げることはなく、また大きさの異なるものにも対応できる。そして化粧材には、請求項２の発明のように、表札を取り付けることができる。
【０００９】
本発明のうち請求項３の発明によれば、照明カバー及びインターホンカバーの取り付けが容易であり、また取付構造が外側から見えないようにできるので意匠性が良好である。ネジ止めした面を下側に向ければ、ネジが見えなくなり特に好ましい。
【図面の簡単な説明】
【００１０】
【図１】本発明の照明具の第一実施形態の斜視図である。
【図２】第一実施形態の分解図である。
【図３】（ａ）は第一実施形態の正面図であり、（ｂ）はＡ−Ａ線断面図、（ｃ）はＢ−Ｂ線断面図、（ｄ）はＣ−Ｃ線断面図、（ｅ）はＤ−Ｄ線断面図である。
【図４】照明カバー及びインターホンカバーの取付方法を示し、（ａ）は照明カバー部分の正面図、（ｂ）はインターホンカバー部分の正面図、（ｃ）は照明カバー部分の縦断面図である。
【図５】照明具の第二実施形態の斜視図である。
【図６】従来の照明、インターホン及び表札の例を示す説明図である。
【発明を実施するための形態】
【００１１】
以下、本発明の実施の形態を図面に基づいて説明する。この照明具は、玄関周りの壁面や門柱などに設置されるものであって、その第一実施形態は、図１に示すように、左右に長い矩形のベース１に、照明２と、インターホン５と、表札９とを横並びに取り付けて一体化したものである。より詳しくは、ベース１と、照明２と、照明カバー３と、照明カバー用台座４と、インターホン５と、インターホンカバー６と、インターホン用台座７と、化粧材８と、表札９と、端部キャップ１０とを備えており、以下、図１〜図４に基づき各部材について説明する。なお、上下左右とは、図３（ａ）における上下左右を示し、図３（ａ）の手前側が正面側、奥側が背面側である。
【００１２】
ベース１は、アルミの押出形材からなるものであり、左右に長い矩形平板形状の背面部１１を有しており、背面部１１の上下の両長辺に沿って、被係合部１２を設けてある。被係合部１２は、背面部１１から正面側に突出する側面部１３と、両側面部１３の対向する面に設けた左右に延びる溝部１４からなり、背面部１１と両側面部１３によってベース１は断面略コ字形になっている。そして背面部１１には、照明２を嵌め込むための照明用孔１５と、インターホン５の配線を通すためのインターホン用孔１６を形成してある。
【００１３】
照明２には、略円柱形状のＬＥＤ照明を用いており、ベース１の背面部１１に形成した照明用孔１５に嵌め込んで固定する。
【００１４】
照明カバー用台座４は、アルミの押出形材からなるものであり、矩形平板形状の基板４１を有しており、基板４１の上下辺から正面側に向けて突出片４３が突出している。そして上側の突出片４３の上面及び下側の突出片４３の下面には、図３（ｄ）に示すように、係合部４２として左右方向に延びる突条を形成してある。また、上側の突出片４３の下面には、左右方向に延びる係合突起４５を形成してある。ただし、係合突起４５の長さは照明カバー用台座４の左右幅より短い。さらに基板４１の左辺には、照明２が丁度嵌る大きさの切欠部４４を形成してある。このように形成した照明カバー用台座４は、係合部４２をベース１の被係合部１２（溝部１４）に係合させてベース１の右側から挿入し、照明２が切欠部４４に嵌る位置までスライドさせ、ベース１にネジ止めして取り付ける。
【００１５】
照明カバー３は、アルミの押出形材からなるものであり、矩形平板形状で、左右幅は照明カバー用台座４に一致し、上下高さは照明カバー用台座４の上下の突出片４３の間隔に一致する。そして、照明カバー３の上面には左右に延びる係合溝３１を形成してある。ただし、この係合溝３１は、図４（ａ）に示すように、照明カバー３の左右端には貫通しておらず、係合突起４５と略同じ長さである。このように形成した照明カバー３は、図４（ｃ）に示すように、上面の係合溝３１を照明カバー用台座４の上側の突出片４３の係合突起４５に係合させ、下端を下側の突出片４３に当接させて、突出片４３の下面側からネジ４６を螺合して固定する。照明２は照明カバー３によって覆われ、照明２の光は左右に照射される。
【００１６】
インターホン用台座７は、アルミの押出形材からなるものであり、矩形平板形状の基板７１を有しており、基板７１の上下辺から正面側に向けて突出片７３が突出している。そして上側の突出片７３の上面及び下側の突出片７３の下面には、図３（ｅ）に示すように、係合部７２として左右方向に延びる突条を形成してある。また、上側の突出片７３の下面には、左右方向に延びる係合突起７５を形成してある。ただし、係合突起７５の長さはインターホン用台座７の左右幅より短い。さらに基板７１の中央には、インターホン５の配線を通すための孔７４を形成してある。なお、照明カバー用台座４と、インターホン用台座７とは、切欠部４４と孔７４の有無が異なるだけである。このように形成したインターホン用台座７は、係合部７２をベース１の被係合部１２（溝部１４）に係合させてベース１の右側から挿入し、基板７１の孔７４がベース１のインターホン用孔１６に一致する位置までスライドさせ、ベース１にネジ止めして取り付ける。
【００１７】
インターホン５は、一般的な略直方体形状のものであり、インターホン用台座７の基板７１にネジ止めして取り付ける。配線（図示省略）は、インターホン用台座７の孔７４及びベース１のインターホン用孔１６を通して背面側に延びる。
【００１８】
インターホンカバー６は、アルミの押出形材からなるものであり、二枚一組であって、矩形平板形状で、間隔をあけて左右に並んでおり、上下高さはインターホン用台座７の上下の突出片７３の間隔に一致する。そして、インターホンカバー６の上面には左右に延びる係合溝６１を形成してある。ただし、この係合溝６１は、図４（ｂ）に示すように、左側のインターホンカバー６の左端及び右側のインターホンカバー６の右端には貫通していない。このように形成したインターホンカバー６は、インターホン用台座７の左右両端に取り付けるものであって、上面の係合溝６１をインターホン用台座７の上側の突出片７３の係合突起７５に係合させ、下端を下側の突出片７３にネジ止めして固定する。インターホン５は左右端部がインターホンカバー６によって覆われ、まとまりのある意匠となるが、インターホン５の操作ボタン、スピーカーやカメラなどは、左右のインターホンカバー６の間に位置するので、機能は一切妨げられない。
【００１９】
化粧材８は、アルミの押出形材からなるものであり、矩形平板形状で、上面及び下面には、係合部８２として左右方向に延びる突条を形成してあり、左右に貫通する中空部８１を有している。このように形成した化粧材８は、係合部８２をベース１の被係合部１２（溝部１４）に係合させて取り付ける。なお、化粧材８は、ベース１の、照明カバー用台座４及びインターホン用台座７を取り付けた箇所以外の箇所に取り付けるものであり、本実施形態では、左端と、照明カバー用台座４とインターホン用台座７の間と、右端の三箇所に取り付ける。この三枚の化粧材８を、左から第一化粧材８ａ、第二化粧材８ｂ、第三化粧材８ｃとする。
【００２０】
表札９は、名前が書かれた矩形平板を四隅の脚で支持するものであり、図３（ｂ）、（ｃ）に示すように、第一化粧材８ａにネジ止めしてある。もちろん、表札９については、化粧材８に取り付けることができるものであれば、どのような意匠のものであってもよい。
【００２１】
端部キャップ１０は、矩形平板形状で、二つの爪部１０１を有している。この爪部１０１を、化粧材８（ベース１の左端においては第一化粧材８ａ、右端においては第三化粧材８ｃ）の中空部８１に挿入して、ベース１の両端に固定する。
【００２２】
なお、照明カバー３、インターホンカバー６及び化粧材８には、同色・同模様のラミネートを張って、意匠に統一感を持たせてある。
【００２３】
ここで、照明具の組立手順を説明する。まず、ベース１を設置面にネジ止めして固定する。次に、照明２をベース１の照明用孔１５に嵌め込んで固定する。そして、図２に示すように、ベース１の左側から第一化粧材８ａをスライドさせて取り付け、ベース１の右側から照明カバー用台座４、第二化粧材８ｂ、インターホン用台座７、第三化粧材８ｃを順にスライドさせて取り付ける。この際、照明カバー用台座４とインターホン用台座７はベース１にネジ止めする。さらに、インターホン５をインターホン用台座７に取り付け、照明カバー３とインターホンカバー６をそれぞれ照明カバー用台座４とインターホン用台座７に取り付ける。そして第一化粧材８ａに表札９を取り付け、最後に左右から端部キャップ１０を嵌めて完成する。
【００２４】
このように構成した本発明の照明具は、照明、インターホン及び表札が一つのユニットにまとめられており、まとまりのある意匠となっている。照明とインターホンはそれぞれ機能上の制約があるので意匠を揃えることは難しいが、それらを同意匠のカバーで覆い、さらに化粧材の意匠も揃っているので、より統一感がある。また、ベースの被係合部（溝部）に各部材の係合部を係合させて取り付けるので、ネジなどを用いる箇所が少なく、施工が容易である。さらに、ベースが押し出しにより一体に成形された形材からなるものであるから、設置面への取り付けは四隅をネジ止めするだけでよく、容易である。また、ベースが断面コ字形で、上下の側面部の間に各部材を挟む構造となっているので、係合部が露出せず、意匠性が良好である。なお、インターホンカバーは、インターホンの端部のみを覆うので、インターホンの機能を妨げることはなく、また大きさの異なるものにも対応できる。さらに、照明カバー及びインターホンカバーの取り付けが容易であり、また係合溝を左右端に貫通しない構造としたので、照明カバー用台座及びインターホン用台座の係合突起が左右から見えず、さらにネジ止めした面は下側に向いているので、意匠性が良好である。また、主な部材（ベース、各カバー、各台座及び化粧材）はアルミの押出形材からなるので、安価に製造できる。
【００２５】
図５に示すのは、本発明の照明具の第二実施形態である。第二実施形態は、第一実施形態を９０度回転させ、ベース１を縦長の状態にしたものである。各部材（ベース１、照明２、照明カバー３、照明カバー用台座４、インターホン５、インターホンカバー６、インターホン用台座７、化粧材８、表札９、端部キャップ１０）の構成は、第一実施形態と同様であるが、インターホン５と表札９は、第一実施形態と比べて９０度回転させた向きに取り付けてある。
【００２６】
本発明は、上記の実施形態に限定されない。たとえば、ベースの被係合部と、各部材の係合部の構造は、ベースに各部材をスライドして取り付けることができるものであればどのようなものであってもよく、ベースの被係合部に突条を設け、各部材の係合部を溝部としてもよいし、ベースを平板形状とし、各部材にベースを挟む側面部を設けてもよい。また、ベースの照明用孔やインターホン用孔の位置を変えれば、照明、インターホン及び表札の配置を変更することもできる。配置を自在に変更できるよう、ベースに予め複数の孔を形成してもよい。さらに、ベースには、照明、インターホン及び表札以外に、フックや棚などを取り付けてもよい。また、照明カバー用台座及びインターホン用台座の基板は、何れも平板形状で一端と他端に係合部を有するものであれば、矩形以外の形状であってもよい。さらに、照明カバー、インターホンカバー及び化粧材は、矩形平板以外の形状であってもよく、たとえば、正面側に膨らむドーム形状のもの、正面側が波打った形状のものや、正面側に突起を有するものなどであってもよいが、相互の意匠を統一することが望ましい。また、照明は、照明カバーによって覆われるのでどのような形状であってもよく、照明カバー用台座の切欠部の大きさより小さなものであってもよい。
【符号の説明】
【００２７】
１  ベース
２  照明
３  照明カバー
４  照明カバー用台座
５  インターホン
６  インターホンカバー
７  インターホン用台座
８  化粧材
９  表札
１１  背面部
１２  被係合部
４１  基板（照明カバー用台座）
４２  係合部（照明カバー用台座）
４３  突出片（照明カバー用台座）
４４  切欠部
７１  基板（インターホン用台座）
７２  係合部（インターホン用台座）
７３  突出片（インターホン用台座）
８２  係合部（化粧材）
【図１】
0005615767.tif 000002
【図２】
0005615767.tif 000003
【図３】
0005615767.tif 000004
【図４】
0005615767.tif 000005
【図５】
0005615767.tif 000006
【図６】
0005615767.tif 000007